(57)【要約】【課題】本発明は、コンピューターの省電力提示回路を提供することを目的とする。【解決手段】本発明のコンピューターの省電力提示回路は、マザーボードが動作する場合、第一、第二及び第四トランジスターが導通状態になり、第三及び第五トランジスターがオフ状態になり、第一発光ダイオードが発光し、カウンターチップが動作せず、マザーボードがスタンバイ状態にある場合、第一、第二及び第五トランジスターがオフ状態になり、第三及び第四トランジスターが導通状態になり、第二発光ダイオードが発光し、カウンターチップが動作せず、マザーボードが停止される場合、第二及び第五トランジスターが導通状態になり、第一、第三及び第四トランジスターがオフ状態になり、第一、第二発光ダイオードは全て発光しなく、カウンターチップは動作し、且つ第一キャパシターに対して充電放電して、第一発光ダイオードが交互に点灯し点滅するようにする。【選択図】図１
2012203903.tif 000002
【特許請求の範囲】
【請求項１】
カウンターチップ、第一キャパシター、第一〜第四のレジスター、第一〜第五のトランジスター、第一発光ダイオード及び第二発光ダイオードを備えてなるコンピューターの省電力提示回路であって、
前記第一トランジスターの第一端は、コンピューターのマザーボードの第一電圧源に接続され、前記第一トランジスターの第三端は接地し、前記第一トランジスターの第二端は、前記第一発光ダイオードの陰極に接続され、且つ前記カウンターチップの出力ピンに接続され、
前記第一発光ダイオードの陽極は、コンピューターのマザーボードの第二電圧源に接続され、
前記第二トランジスターの第一端は、コンピューターのマザーボードの第一スタンバイ状態信号ピンに接続され、前記第二トランジスターの第三端は接地し、前記第二トランジスターの第二端は、前記第一レジスターを介して前記第二電圧源に接続され、且つ前記第三トランジスターの第一端に接続され、
前記第三トランジスターの第三端は接地し、前記第三トランジスターの第二端は、前記第二発光ダイオードの陰極に接続され、
前記第二発光ダイオードの陽極は、前記第二電圧源に接続され、
前記第四トランジスターの第一端は、コンピューターのマザーボードの第二スタンバイ状態信号ピンに接続され、前記第四トランジスターの第三端は接地し、前記第四トランジスターの第二端は、前記第二レジスターを介して前記第二電圧源に接続され、且つ前記第五トランジスターの第一端に接続され、
前記第五トランジスターの第二端は、コンピューターのマザーボードの第二電圧源に接続され、前記第五トランジスターの第三端は、順次に前記第三レジスター、前記第四レジスター及び前記第一キャパシターを介して接地し、且つ前記カウンターチップの電圧ピンに接続され、
前記カウンターチップのリセットピンは、前記カウンターチップの電圧ピンと前記第三レジスターとの間のノードに接続され、
前記カウンターチップのトリガーピン及びゲートピンは互いに接続され、且つ前記第四レジスターと前記第一キャパシターとの間のノードに接続され、
前記カウンターチップのディスチャージピンは、前記第三レジスターと前記第四レジスターとの間のノードに接続され、
前記コンピューターのマザーボードが動作する場合、前記第一、第二及び第四トランジスターは導通状態になり、前記第三及び第五トランジスターはオフ状態になり、前記第一発光ダイオードは発光し、前記第二発光ダイオードは発光せず、前記カウンターチップは動作せず、
前記コンピューターのマザーボードがスタンバイ状態にある場合、前記第一、第二及び第五トランジスターはオフ状態になり、前記第三及び第四トランジスターは導通状態になり、前記第一発光ダイオードは発光せず、前記第二発光ダイオードは発光し、前記カウンターチップは動作せず、
前記コンピューターのマザーボードが停止される場合、前記第二及び第五トランジスターは導通状態になり、前記第一、第三及び第四トランジスターはオフ状態になり、前記第一発光ダイオード及び前記第二発光ダイオードは全て発光せず、前記カウンターチップは動作し、且つ前記第一キャパシターに対して充電放電して、前記第一発光ダイオードが交互に点灯し点滅するようにすることを特徴とするコンピューターの省電力提示回路。
【請求項２】
前記コンピューターの省電力提示回路は、第六トランジスター及び第一ダイオードをさらに備え、
前記第六トランジスターの第一端は、前記第二スタンバイ状態信号ピンに接続され、前記第六トランジスターの第三端は接地し、前記第六トランジスターの第二端は、前記第二電圧源及び前記第一ダイオードの陽極に接続され、
前記第一ダイオードの陰極は、前記第三トランジスターの第一端に接続されることを特徴とする請求項１に記載のコンピューターの省電力提示回路。
【請求項３】
前記コンピューターの省電力提示回路は、第二ダイオードをさらに備え、前記第二ダイオードの陽極は、前記第二トランジスターの第二端に接続され、前記第二ダイオードの陰極は、前記第三トランジスターの第一端に接続されることを特徴とする請求項２に記載のコンピューターの省電力提示回路。
【請求項４】
前記第一〜第六トランジスターは、ＮＰＮ型トランジスターであり、前記第一〜第六トランジスターの第一端、第二端及び第三端は、別々にトランジスターのベース、コレクタ及びエミッタであることを特徴とする請求項２に記載のコンピューターの省電力提示回路。
【請求項５】
前記コンピューターの省電力提示回路は、第五〜第十二のレジスターをさらに備え、
前記第五レジスターは、前記第一トランジスターの第一端と前記第一電圧源との間に直列に接続され、
前記第六レジスターは、前記第一発光ダイオードの陽極と前記第二電圧源との間に直列に接続され、
前記第七レジスターは、前記第二トランジスターの第一端と前記第一スタンバイ状態信号ピンとの間に直列に接続され、
前記第八レジスターは、前記第二発光ダイオードの陽極と前記第二電圧源との間に直列に接続され、
前記第九レジスターは、前記第六トランジスターの第一端と前記第二スタンバイ状態信号ピンとの間に直列に接続され、
前記第十レジスターは、前記第六トランジスターの第二端と前記第二電圧源との間に直列に接続され、
前記第十一レジスターは、前記第四トランジスターの第一端と前記第二スタンバイ状態信号ピンとの間に直列に接続され、
前記第十二レジスターは、前記第五トランジスターの第二端と前記第二電圧源との間に直列に接続されることを特徴とする請求項１に記載のコンピューターの省電力提示回路。
【請求項６】
前記コンピューターの省電力提示回路は、前記カウンターチップのコントロールピンと地との間に直列に接続される第二キャパシターをさらに備えることを特徴とする請求項１に記載のコンピューターの省電力提示回路。
【請求項７】
前記カウンターチップは、ＮＥ５５５カウンターチップであることを特徴とする請求項１に記載のコンピューターの省電力提示回路。
【請求項８】
前記第一電圧源は、３．３Ｖ電圧源であり、前記第二電圧源は、５Ｖ電圧源であることを特徴とする請求項１に記載のコンピューターの省電力提示回路。
【発明の詳細な説明】
【技術分野】
【０００１】
本発明は、コンピューターの省電力提示回路に関するものである。
【背景技術】
【０００２】
コンピューターの電源管理に関する規格であるＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ，ＡＣＰＩ）に基づいて、コンピューターの電源管理システムは、システムの電源状況をＳ０〜Ｓ５の６段階に分けることができる。
【０００３】
Ｓ０：フル稼働状態であり、コンピューターは正常に動作する。
【０００４】
Ｓ１：ＰＯＳ（Ｐｏｗｅｒ  ｏｎ  Ｓｕｓｐｅｎｄ）と呼ばれる状態であり、ＣＰＵが止められ、システムは低消費電力状態で動作している。
【０００５】
Ｓ２：ＣＰＵに給電停止し、システムは、Ｓ１よりも低消費電力状態で動作している。
【０００６】
Ｓ３：ＳＴＲ（Ｓｕｓｐｅｎｄ  ｔｏ  ＲＡＭ）と呼ばれる状態であり、メモリ以外の給電停止である。
【０００７】
Ｓ４：ＳＴＤ（Ｓｕｓｐｅｎｄ  ｔｏ  Ｄｉｓｋ）と呼ばれる状態であり、メモリの内容をＨＤＤに移してから電源断する。
【０００８】
Ｓ５：ソフトウェアによって電源断して、コンピューターはシャットダウン状態になる。
【０００９】
ユーザーは、コンピューターの電源管理メニューによって、コンピューターの動作モードを調べることができる。コンピューターがＳ０状態になると、電源はオン状態になる。コンピューターがＳ３状態になると、電源はスタンバイ状態になり、電源はメモリに動作電圧を提供する。コンピューターをシャットダウンしてから、電源はＳ５状態に移行し始め、マザーボードにはまだ＋５ＶＳＢのスタンバイ電圧があり、マザーボード電源監視回路の動作電源として、コンピューターの呼び覚まし機能を支持する。従ってコンピューターをシャットダウンしても、マザーボードは持続的に電力を消費するので、省電力にするために商用電源を遮断することを必要とするが、ユーザーが忘れ易く、且つコンピューターはユーザーに注意をうながすことができない。
【発明の概要】
【発明が解決しようとする課題】
【００１０】
本発明の目的は、前記課題を解決し、省電力提示回路を提供して、コンピューターのスタンバイ時間が長すぎるか又はシャットダウンしてから、ユーザーが商用電源をオフするように注意をうながすことである。
【課題を解決するための手段】
【００１１】
本発明に係るコンピューターの省電力提示回路は、カウンターチップ、第一キャパシター、第一〜第四のレジスター、第一〜第五のトランジスター、第一発光ダイオード及び第二発光ダイオードを備え、前記第一トランジスターの第一端は、コンピューターのマザーボードの第一電圧源に接続され、前記第一トランジスターの第三端は接地し、前記第一トランジスターの第二端は、前記第一発光ダイオードの陰極に接続され、且つ前記カウンターチップの出力ピンに接続され、前記第一発光ダイオードの陽極は、コンピューターのマザーボードの第二電圧源に接続され、前記第二トランジスターの第一端は、コンピューターのマザーボードの第一スタンバイ状態信号ピンに接続され、前記第二トランジスターの第三端は接地し、前記第二トランジスターの第二端は、前記第一レジスターを介して前記第二電圧源に接続され、且つ前記第三トランジスターの第一端に接続され、前記第三トランジスターの第三端は接地し、前記第三トランジスターの第二端は、前記第二発光ダイオードの陰極に接続され、前記第二発光ダイオードの陽極は、前記第二電圧源に接続され、前記第四トランジスターの第一端は、コンピューターのマザーボードの第二スタンバイ状態信号ピンに接続され、前記第四トランジスターの第三端は接地し、前記第四トランジスターの第二端は、前記第二レジスターを介して前記第二電圧源に接続され、且つ前記第五トランジスターの第一端に接続され、前記第五トランジスターの第二端は、コンピューターのマザーボードの第二電圧源に接続され、前記第五トランジスターの第三端は、順次に前記第三レジスター、前記第四レジスター及び前記第一キャパシターを介して接地し、且つ前記カウンターチップの電圧ピンに接続され、前記カウンターチップのリセットピンは、前記カウンターチップの電圧ピンと前記第三レジスターとの間のノードに接続され、前記カウンターチップのトリガーピン及びゲートピンは接続され、且つ前記第四レジスターと前記第一キャパシターとの間のノードに接続され、前記カウンターチップのディスチャージピンは、前記第三レジスターと前記第四レジスターとの間のノードに接続され、前記コンピューターのマザーボードが動作する場合、前記第一、第二及び第四トランジスターは導通状態になり、前記第三及び第五トランジスターはオフ状態になり、前記第一発光ダイオードは発光し、前記第二発光ダイオードは発光しなく、前記カウンターチップは動作しなく、前記コンピューターのマザーボードがスタンバイ状態にある場合、前記第一、第二及び第五トランジスターはオフ状態になり、前記第三及び第四トランジスターは導通状態になり、前記第一発光ダイオードは発光しなく、前記第二発光ダイオードは発光し、前記カウンターチップは動作しなく、前記コンピューターのマザーボードが停止される場合、前記第二及び第五トランジスターは導通状態になり、前記第一、第三及び第四トランジスターはオフ状態になり、前記第一発光ダイオード及び前記第二発光ダイオードは全て発光しなく、前記カウンターチップは動作し、且つ前記第一キャパシターに対して充電放電して、前記第一発光ダイオードが交互に点灯し点滅するようにする。
【発明の効果】
【００１２】
従来の技術に比べて、本発明のコンピューターの省電力提示回路は、第一発光ダイオードが発光することにより、コンピューターが正常に動作することを提示し、第二発光ダイオードが発光することにより、コンピューターがスタンバイ状態にあり、コンピューターをシャットダウンして省電力するように提示し、前記第一発光ダイオードが点灯したり点滅したりして瞬くことにより、コンピューターがシャットダウンされて、商用電源をオフして省電力するように提示する。
【図面の簡単な説明】
【００１３】
【図１】本発明の実施形態に係るコンピューターの省電力提示回路の回路図である。
【図２】本発明の実施形態に係るコンピューターの省電力提示回路の回路図である。
【発明を実施するための形態】
【００１４】
以下、図面を参照して、本発明の実施形態について説明する。
【００１５】
図１及び図２を参照すると、本発明の実施形態に係るコンピューターの省電力提示回路１００は、カウンターチップＵ１と、キャパシターＣ１及びＣ２と、レジスターＲ１〜Ｒ１２と、トランジスター（ＮＰＮ型トランジスター）Ｑ１〜Ｑ６と、発光ダイオードＤ１及びＤ３と、ダイオードＤ２及びＤ４と、を備える。本実施形態において、前記発光ダイオードＤ１は、緑色光を発する発光ダイオードであり、前記発光ダイオードＤ３は、赤色光を発する発光ダイオードである。
【００１６】
前記トランジスターＱ１のベースは、前記レジスターＲ１を介してマザーボードの３．３Ｖ電圧源３Ｄ３Ｖに接続され、前記トランジスターＱ１のエミッタは接地し、前記トランジスターＱ１のコレクタは、前記発光ダイオードＤ１の陰極及び前記カウンターチップＵ１の出力ピンＯＵＴＰＵＴに接続され、前記発光ダイオードＤ１の陽極は、前記レジスターＲ２を介して前記マザーボードの５Ｖ電圧源５Ｖ＿ＤＵＡＬに接続される。
【００１７】
前記トランジスターＱ２のベースは、前記レジスターＲ３を介して前記マザーボードのスタンバイ状態信号ピンＳ３＿ｓｌｅｅｐ＃に接続され、前記トランジスターＱ２のエミッタは接地し、前記トランジスターＱ２のコレクタは、前記レジスターＲ４を介して前記５Ｖ電圧源５Ｖ＿ＤＵＡＬに接続され、且つダイオードＤ２の陽極に接続される。前記ダイオードＤ２の陰極は、前記トランジスターＱ３のベース及び前記ダイオードＤ４の陰極に接続される。前記トランジスターＱ３のエミッタは接地し、前記トランジスターＱ３のコレクタは、前記発光ダイオードＤ３の陰極に接続され、前記発光ダイオードＤ３の陽極は、前記レジスターＲ５を介して前記５Ｖ電圧源５Ｖ＿ＤＵＡＬに接続される。前記ダイオードＤ４の陽極は、前記トランジスターＱ４のコレクタに接続され、且つ前記レジスターＲ６を介して前記５Ｖ電圧源５Ｖ＿ＤＵＡＬに接続される。前記トランジスターＱ４のエミッタは接地し、前記トランジスターＱ４のベースは、前記レジスターＲ７を介して前記マザーボードのスタンバイ状態信号ピンＳ５＿ｓｌｅｅｐ＃に接続される。
【００１８】
前記トランジスターＱ５のベースは、前記レジスターＲ８を介して前記マザーボードのスタンバイ状態信号ピンＳ５＿ｓｌｅｅｐ＃に接続され、前記トランジスターＱ５のエミッタは接地し、前記トランジスターＱ５のコレクタは、前記トランジスターＱ６のベースに接続され、且つ前記レジスターＲ９を介して前記マザーボードの５Ｖ電圧源５Ｖ＿ＤＵＡＬに接続される。前記トランジスターＱ６のコレクタは、前記レジスターＲ１０を介して前記マザーボードの５Ｖ電圧源５Ｖ＿ＤＵＡＬに接続され、前記トランジスターＱ６のエミッタは、順次に前記レジスターＲ１１及びＲ１２、前記キャパシターＣ１を介して接地し、且つ前記カウンターチップＵ１の電圧ピンＶＣＣに接続される。前記カウンターチップＵ１のリセットピンＲＥＳＥＴは、前記カウンターチップＵ１の電圧ピンＶＣＣと前記レジスターＲ１１との間のノードに接続される。前記カウンターチップＵ１のトリガーピンＴＲＩＧＧＥＲ及びゲートピンＴＨＲＥＳＨＯＬＤは接続され、且つ前記レジスターＲ１２と前記キャパシターＣ１との間のノードに接続される。前記カウンターチップＵ１のディスチャージピンＤＩＳＣＨＡＲＧＥは、前記レジスターＲ１１と前記レジスターＲ１２との間のノードに接続される。前記カウンターチップＵ１のコントロールピンＣＯＮＴＲＯＬは、前記キャパシターＣ２を介して接地し、前記カウンターチップＵ１のグラウンドピンＧＮＤは接地する。本実施形態において、前記カウンターチップＵ１は、ＮＥ５５５カウンターチップである。
【００１９】
使用する場合、コンピューターのマザーボードがＳ０状態になると、即ちマザーボードが正常な動作状態になると、前記トランジスターＱ１のベースは、前記マザーボードの電圧源３Ｄ３Ｖから電圧を受けて導通され、前記発光ダイオードＤ１は緑色光を発して、コンピューターが正常に動作することを示す。この時、前記トランジスターＱ２のベースは、前記マザーボードのスタンバイ状態信号ピンＳ３＿ｓｌｅｅｐ＃から出力する高レベル信号を受けて導通状態になり、前記トランジスターＱ２のコレクタは、低レベル状態になり、前記トランジスターＱ３のベースは、前記低レベル信号を受信してオフ状態になり、前記発光ダイオードＤ３は発光しない。前記トランジスターＱ５のベースは、前記マザーボードのスタンバイ状態信号ピンＳ５＿ｓｌｅｅｐ＃から出力する高レベル信号を受信して導通状態になり、前記トランジスターＱ５のコレクタは、低レベル状態になり、前記トランジスターＱ６のベースは、前記低レベル信号を受信してオフ状態になり、前記カウンターチップＵ１の電圧ピンＶＣＣは電圧を受けないので、前記カウンターチップＵ１は動作しない。従って前記発光ダイオードＤ１が緑色光を発して、コンピューターが正常に動作することをユーザーに提示する。
【００２０】
マザーボードがＳ３状態になると、即ちマザーボードがスタンバイ状態になり、メモリ以外が給電停止であると、前記マザーボードの電圧源３Ｄ３Ｖは電圧を出力せず、前記トランジスターＱ１のベースは、電圧を受けないのでオフ状態になり、前記発光ダイオードＤ１は発光しない。この時、前記トランジスターＱ２のベースは、前記マザーボードのスタンバイ状態信号ピンＳ３＿ｓｌｅｅｐ＃から出力する低レベル信号を受けてオフ状態になり、前記トランジスターＱ３のベースは、前記マザーボードの電圧源５Ｖ＿ＤＵＡＬから電圧を受けて導通状態になり、前記発光ダイオードＤ３が赤色光を発して、コンピューターがスタンバイ状態にあることをユーザーに提示する。前記トランジスターＱ４のベースは、前記マザーボードのスタンバイ状態信号ピンＳ５＿ｓｌｅｅｐ＃から出力する高レベル信号を受けて導通状態になり、前記トランジスターＱ４のコレクタは、低レベル状態になり、前記ダイオードＤ４は導通しないので、前記発光ダイオードＤ３を影響しない。前記トランジスターＱ５のベースは、前記マザーボードのスタンバイ状態信号ピンＳ５＿ｓｌｅｅｐ＃から出力する高レベル信号を受けて導通状態になり、前記トランジスターＱ５のコレクタは、低レベル状態になり、前記トランジスターＱ６のベースは、前記低レベル信号を受信してオフ状態になり、前記カウンターチップＵ１の電圧ピンＶＣＣは、電圧を受けないので、前記カウンターチップＵ１は動作しない。従って前記発光ダイオードＤ３が赤色光を発して、コンピューターがスタンバイ状態にあることをユーザーに提示して、コンピューターをシャットダウンして省電力するように提示する。
【００２１】
マザーボードがＳ５状態になると、即ちコンピューターがシャットダウン状態になると、マザーボードが停止され、前記マザーボードの電圧源３Ｄ３Ｖは、電圧を出力せず、前記トランジスターＱ１のベースは、電圧を受けないのでオフ状態になり、前記発光ダイオードＤ１は発光しない。この時、前記トランジスターＱ２のベースは、前記マザーボードのスタンバイ状態信号ピンＳ３＿ｓｌｅｅｐ＃から出力する高レベル信号を受けて導通状態になり、前記トランジスターＱ２のコレクタは、低レベル状態になり、前記トランジスターＱ３のベースは、前記低レベル信号を受信してオフ状態になり、前記発光ダイオードＤ３は発光しない。前記トランジスターＱ５のベースは、前記マザーボードのスタンバイ状態信号ピンＳ５＿ｓｌｅｅｐ＃から出力する低レベル信号を受信してオフ状態になり、前記トランジスターＱ６のベースは、前記マザーボードの電圧源５Ｖ＿ＤＵＡＬから電圧を受けて導通され、前記カウンターチップＵ１の電圧ピンＶＣＣは電圧を受けて、前記カウンターチップＵ１は動作する。前記キャパシターＣ１は、前記レジスターＲ１１及びＲ１２を介して充電され、前記キャパシターＣ１の電圧が前記カウンターチップＵ１の電圧ピンＶＣＣの電圧の２/３になると、前記カウンターチップＵ１の内部トリガー（ｔｒｉｇｇｅｒ）はリセットされ、前記カウンターチップＵ１の出力ピンＯＵＴＰＵＴは、低レベル信号を出力し、前記発光ダイオードＤ１は導通されて発光し、前記カウンターチップＵ１のディスチャージピンＤＩＳＣＨＡＲＧＥは導通され、前記キャパシターＣ１は、前記レジスターＲ１２によって放電し、前記キャパシターＣ１の電圧が前記カウンターチップＵ１の電圧ピンＶＣＣの電圧の１/３に下げると、前記カウンターチップＵ１の出力ピンＯＵＴＰＵＴは、高レベル信号を出力し、前記発光ダイオードＤ１はオフされて発光しない。それから前記キャパシターＣ１は再び充電され、上述のように循環する。だから、前記発光ダイオードＤ１は、コンピューターをシャットダウンしてから、点灯したり点滅したりして瞬き、ユーザーに商用電源をオフして、省電力するように提示する。
【００２２】
本実施形態において、前記レジスターＲ１１、Ｒ１２及び前記キャパシターＣ１の値を変換することにより、前記発光ダイオードＤ１の発光頻度及び発光時間の長さを変換することができる。
【００２３】
前記コンピューターの省電力提示回路１００において、前記発光ダイオードＤ１が緑色光を発する際、コンピューターが正常に動作することを提示し、前記発光ダイオードＤ３が赤色光を発する際、コンピューターがスタンバイ状態にあり、コンピューターをシャットダウンして省電力するように提示し、前記発光ダイオードＤ１が点灯したり点滅したりして瞬く際、コンピューターがシャットダウンされて、商用電源をオフして省電力するように提示する。
【００２４】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２５】
１００  コンピューターの省電力提示回路
Ｃ１、Ｃ２  キャパシター
ＣＯＮＴＲＯＬ  コントロールピン
Ｄ１、Ｄ３  発光ダイオード
Ｄ２、Ｄ４  ダイオード
ＤＩＳＣＨＡＲＧＥ  ディスチャージピン
ＧＮＤ  グラウンドピン
Ｑ１〜Ｑ６  トランジスター
Ｒ１〜Ｒ１２  レジスター
ＲＥＳＥＴ  リセットピン
Ｓ３＿ｓｌｅｅｐ＃、Ｓ５＿ｓｌｅｅｐ＃  スタンバイ状態信号ピン
ＴＲＩＧＧＥＲ  トリガーピン
ＴＨＲＥＳＨＯＬＤ  ゲートピン
Ｕ１  カウンターチップ
ＶＣＣ  電圧ピン
３Ｄ３Ｖ  ３．３Ｖ電圧源
５Ｖ＿ＤＵＡＬ  ５Ｖ電圧源
【図１】
2012203903.tif 000003
【図２】
2012203903.tif 000004